(57)【特許請求の範囲】
【請求項１】
前後が各々開口するコネクタハウジングと、該コネクタハウジングに装着収容されるスリーブ及び光素子モジュールと、前記コネクタハウジングの後方開口部に装着されるキャップとを備え、
前記コネクタハウジングには、フェルールを端末に装着した光ファイバを有する光プラグが前記コネクタハウジングの前方開口部を介して嵌合する嵌合部と、前記後方開口部より臨み、前記光素子モジュールを収容するとともに、該光素子モジュールの端子を前記コネクタハウジングの外方へ導出させる端子導出部を前記コネクタハウジングの下壁に穿設した収容室と、前記嵌合部及び前記収容室に連通し前記嵌合部側に前記フェルールが挿入され、前記収容室側に前記スリーブが前記後方開口部及び前記収容室を介して装着される受承筒とを形成し、且つ、前記スリーブと前記光素子モジュールの素子部とが前記受承筒の軸と略同一軸上に配置されるよう構成した光コネクタ用のレセプタクルにおいて、
前記コネクタハウジングは、前記下壁と該下壁に対向する上壁とに挟まれる左、右壁にそれぞれ係合部を有すると共に前記後方開口部を前記軸に対し略平行に切り欠いて、前記端子が前記軸の方向に挿入可能となるよう前記端子導出部を開放し、前記キャップには、開放された前記端子導出部に入り込み、前記端子に近接する突出部を形成すると共に前記係合部に対応する位置に該係合部に嵌合する脱落防止用の係合突起をそれぞれ突設したことを特徴とするレセプタクル。
【発明の詳細な説明】
【０００１】
【発明の属する技術分野】
本発明は、光コネクタを構成するレセプタクルに関する。
【０００２】
【従来の技術】
図１４において、引用符号１０１は例えば自動車等の車両の多重伝送回路に用いられる光コネクタを示しており、その光コネクタ１０１は、レセプタクル１０２と光プラグ１０３とを備えて構成されている。
【０００３】
上記レセプタクル１０２は、図１４及び図１５に示される如く、前後が各々開口する矩形状のコネクタハウジング１０４を有しており、そのコネクタハウジング１０４の前方開口部を介して上記光プラグ１０３が嵌合するようになっている（図１４参照）。また、図１５に示される如く、コネクタハウジング１０４の後方開口部を介してレセプタクル１０２を構成するスリーブ１０５、１０５、受光素子モジュール１０６（光素子モジュール）、発光素子モジュール１０７（光素子モジュール）、及び矩形板状のキャップ１０８が順に装着収容されるようになっている。
【０００４】
コネクタハウジング１０４には、光プラグ１０３（図１４参照）が前方開口部を介して嵌合する嵌合部１０９（図１４参照）と、後方開口部より臨み、受光素子モジュール１０６及び発光素子モジュール１０７が収容される収容室１１０、１１０と、嵌合部１０９（図１４参照）及び収容室１１０、１１０に連通する受承筒１１１、１１１とが形成されており、上壁１１２に形成された光プラグ係止部１１３には、光プラグ１０３（図１４参照）の後述するロッキングアーム１４１（図１４及び図１６参照）が係合するようになっている。
【０００５】
収容室１１０、１１０は、上壁１１２、下壁１１４、及び左、右壁１１５、１１６に囲まれて形成されており、その中間には、受光素子モジュール１０６及び発光素子モジュール１０７を区画する隔壁１１７が形成されている。
【０００６】
収容室１１０、１１０の上部に位置する上壁１１２には、キャップ１０８の上下縁部に各二つ形成された係合突起１１８（上縁部の二つのみ図示）の上縁部側が嵌合する係合部１１９、１１９が形成されている。また、収容室１１０、１１０の下部に位置する下壁１１４には、端子導出部１２０、１２０が段付き形状に穿設されている。
【０００７】
端子導出部１２０の左右方向幅広部分には、受光素子モジュール１０６又は発光素子モジュール１０７の端子１２１又は１２２が挿通されるようになっている。また、端子導出部１２０の左右方向幅狭部分には、キャップ１０８の下縁部に形成された二つの上記係合突起１１８（上縁部のを参照）が嵌合するようになっている。
【０００８】
尚、キャップ１０８は、上下各二つの係合突起１１８が係合部１１９、１１９及び端子導出部１２０、１２０に嵌合するので後方開口部からの脱落が防止されている。
【０００９】
受承筒１１１は、図１７に示される如く、段付きに形成されており、前方小径部１２３に後述するフェルール１３３の小径部１３５（図１６参照）が挿入され、また、後方大径部１２４には、スリーブ１０５（図１５参照）が装着されるようになっている。
【００１０】
一方、スリーブ１０５は、図１５に示される如く、円柱形状に形成されており、コア及クラッドから成る導波路１２５とホルダ１２６とで構成されている。また、受光素子モジュール１０６、発光素子モジュール１０７は、モールド部１２７、１２８内に図示しない受光素子、発光素子を埋設してパッケージ化されている。
【００１１】
尚、レセプタクル１０２の組み付け後において、スリーブ１０５と図示しない受光素子又は発光素子は、受承筒１１１の軸と略同一軸上に配置されるようになっている。
【００１２】
上記光プラグ１０３は、図１６に示される如く、フェルール組み立て体１２９、１２９（一方のみ図示）と、そのフェルール組み立て体１２９、１２９を収容するプラグハウジング１３０（図１４及び図１６参照）と、プラグハウジング１３０の後部に嵌合しフェルール組み立て体１２９、１２９（一方のみ図示）を保持するスプリングキャップ１３１（図１４及び図１６参照）とを備えて構成されている。
【００１３】
上記フェルール組み立て体１２９は、既知の光ファイバ１３２と、その光ファイバ１３２の端末に装着されるフェルール１３３と、スプリング１３４とから構成されている。
【００１４】
フェルール１３３は、段付きに形成されており、小径部１３５に光ファイバ１３２の芯線部（不図示）が挿入され、フランジ１３６、１３６を有する大径部１３７には、光ファイバ１３２の一次シース（不図示）が挿入されるようになっている（引用符号１３８は光ファイバ１３２の二次シースを示している）。
【００１５】
スプリング１３４は、後方のフランジ１３６とスプリングキャップ１３１の間に介在し、フェルール１３３をプラグハウジング１３０の前部に向けて付勢するようになっている。
【００１６】
上記プラグハウジング１３０は、フェルール組み立て体１２９、１２９（一方のみ図示）を収容する中空の収容室１３９、１３９（一方のみ図示）が形成された矩形状の箱体であって、上壁１４０には、ロッキングアーム１４１が形成されている。尚、ロッキングアーム１４１の先端部を押下することで、嵌合後の光プラグ１０３のレセプタクル１０２に対する離脱操作が可能となっている（図１４参照）。
【００１７】
また、プラグハウジング１３０は、図１４に示される如く、両側壁後方にプラグハウジング１３０の後端面よりも後方に突出する略短冊形状のスリットカバー１４２、１４２が形成されている。
【００１８】
上記スプリングキャップ１３１は、略カップ形状に形成されており、その両側壁及び後端面の一部にわたってプラグ導入スリット１４３、１４３（一方のみ図示）が形成されている。両側壁側のプラグ導入スリット１４３、１４３（一方のみ図示）は、プラグハウジング１３０のスリットカバー１４２、１４２により閉止されるようになっている。
【００１９】
スプリングキャップ１３１の後端面の内側は、スプリング１３４（図１６参照）が当接するようになっており、また、内部中央には、プラグハウジング１３０を係止する図示しない係止突起が形成されている。
【００２０】
光プラグ１０３は、フェルール組み立て体１２９、１２９（図１６参照、一方のみ図示）をスプリングキャップ１３１のプラグ導入スリット１４３、１４３（一方のみ図示）を介して装着した後、そのスプリングキャップ１３１をプラグハウジング１３０に係合させることで組み立てられており、フェルール組み立て体１２９、１２９（図１６参照、一方のみ図示）が収容室１３９、１３９（図１６参照、一方のみ図示）に収容されると、プラグハウジング１３０に設けられた係止突起１４４、１４４（図１６参照、一方のみ図示）が図１６に示されるようにフェルール１３３の二つのフランジ１３６、１３６間に介在してフェルール組み立て体１２９、１２９（一方のみ図示）の位置を規制するようになっている。
【００２１】
尚、フェルール組み立て体１２９、１２９（一方のみ図示）は、上述の如く、スプリング１３４、１３４（一方のみ図示）によって前方へ付勢されており、収容室１３９、１３９（一方のみ図示）に形成されたストッパ１４５、１４５（一方のみ図示）がフェルール組み立て体１２９、１２９（一方のみ図示）の突出を抑えるようになっている。
【００２２】
上記構成において、光プラグ１０３がレセプタクル１０２に嵌合すると、受承筒１１１、１１１はプラグハウジング１３０内に進入し、同時にフェルール組み立て体１２９、１２９の小径部１３５、１３５が受承筒１１１、１１１内に進入するようになる。また、フェルール組み立て体１２９、１２９の大径部１３７、１３７が受承筒１１１、１１１の端部に当接し、スプリング１３４、１３４の弾性力によって適度の接触圧が保たれるようになる。
【００２３】
【発明が解決しようとする課題】
ところで上記従来技術にあっては、レセプタクル１０２を組み付ける際に、受光素子モジュール１０６及び発光素子モジュール１０７を、図１８の矢線Ｒに示す如く、斜め挿入しなければならず、そのため収容室１１０、１１０に対する装着性が非常に悪くなっていた。
【００２４】
また、上記斜め挿入時において、端子１２１又は１２２を端子導出部１２０、１２０にぶつけてしまう恐れがあり、端子１２１又は１２２が曲がってしまうとその後の工程等に影響を来してしまうことになるから、細心の注意をはらって作業しなければならなかった。
【００２５】
さらに、図１７ないし図２０までを参照しながら以下で説明するように、レセプタクル１０２の組み付け工程に反転作業（上記斜め挿入をし易くするためコネクタハウジング１０４の位置を変える）があることから、レセプタクル１０２の生産効率がよいとはとても言い難かった。
【００２６】
レセプタクル１０２の組み付け工程を説明すると、レセプタクル１０２は、図１７に示される如く、コネクタハウジング１０４の中心軸を例えば垂直軸方に一致させて配置した後、矢線Ｐ方向にスリーブ１０５、１０５を装着する工程と、スリーブ１０５、１０５を装着したコネクタハウジング１０４を矢線Ｑ方向へ回転させ、上記中心軸を水平軸方向に一致させる工程と、図１８に示される如く、受光素子モジュール１０６及び発光素子モジュール１０７を矢線Ｒ方向に挿入して図１９に示すような状態に収容する工程と、コネクタハウジング１０４を矢線Ｓ方向に反転させ再び上記中心軸を垂直軸方に一致させる工程と、矢線Ｔ方向にキャップ１０８を装着する工程とを順に作業することで組み付けられている。
【００２７】
以上は、全て端子導出部１２０、１２０の形態に起因し、レセプタクル１０２の自動組み付けも阻害していることから、生産効率の向上のための改善をする必要があると言わざるを得ない。
【００２８】
本発明は、上述した事情に鑑みてなされるもので、生産効率の高いレセプタクルを提供することを課題とする。
【００２９】
【課題を解決するための手段】
上記課題を解決するためなされた本発明のレセプタクルは、前後が各々開口するコネクタハウジングと、該コネクタハウジングに装着収容されるスリーブ及び光素子モジュールと、前記コネクタハウジングの後方開口部に装着されるキャップとを備え、前記コネクタハウジングには、フェルールを端末に装着した光ファイバを有する光プラグが前記コネクタハウジングの前方開口部を介して嵌合する嵌合部と、前記後方開口部より臨み、前記光素子モジュールを収容するとともに、該光素子モジュールの端子を前記コネクタハウジングの外方へ導出させる端子導出部を前記コネクタハウジングの下壁に穿設した収容室と、前記嵌合部及び前記収容室に連通し前記嵌合部側に前記フェルールが挿入され、前記収容室側に前記スリーブが前記後方開口部及び前記収容室を介して装着される受承筒とを形成し、且つ、前記スリーブと前記光素子モジュールの素子部とが前記受承筒の軸と略同一軸上に配置されるよう構成した光コネクタ用のレセプタクルにおいて、前記後方開口部を前記軸に対し略平行に切り欠いて、前記端子が前記軸の方向に挿入可能となるよう前記端子導出部を開放し、前記キャップには、開放された前記端子導出部に入り込み、前記端子に近接する突出部を形成している。
【００３０】
また、前記コネクタハウジングは、前記下壁と該下壁に対向する上壁とに挟まれる左、右壁にそれぞれ係合部を有し、前記キャップには、前記係合部に対応する位置に該係合部に嵌合する脱落防止用の係合突起をそれぞれ突設している。
【００３１】
請求項１に記載された本発明によれば、光素子モジュールを収容室に装着収容する際、光素子モジュールを斜め挿入することなくスリーブやキャップと同様に同方向の組み付けをすることができる。また、端子導出部を後方開口部において開放していることから、光素子モジュールの装着収容の際に端子をぶつけてしまうような不具合を生じることはない。さらに、組み付け工程において、反転作業を含めた組み付けをする必要がなくなるから、自動組み付けが可能となる。
一方、キャップに突出部を形成することで、端子近傍の間隙を従来同様に維持することができる。
【００３２】
特に、前記コネクタハウジングは、前記下壁と該下壁に対向する上壁とに挟まれる左、右壁にそれぞれ係合部を有し、前記キャップには、前記係合部に対応する位置に該係合部に嵌合する脱落防止用の係合突起をそれぞれ突設したから、端子導出部を後方開口部において開放してもキャップの装着状態が変わることはない。また、キャップに設けた係合突起を係合部に嵌合させるのであるから、装着性に影響を来してしまうようなこともない。
【００３３】
【発明の実施の形態】
以下、図面を参照して本発明の一実施の形態を説明する。
図１は本発明のレセプタクルの一実施の形態を示す後方側からみた分解斜視図である。また、図２は図１に対し前方側からみたレセプタクルの分解斜視図である。
【００３４】
さらにまた、図３ないし図１０はコネクタハウジングに関し、図３は正面図、図４は平面図、図５は底面図、図６は右側面図、図７は背面図、図８は図３のＡ−Ａ線断面図、図９は図３のＢ−Ｂ線断面図、図１０は図３のＣ−Ｃ線断面図である。一方、図１１はキャップの正面図、図１２は図１１のＤ−Ｄ線断面図、図１３はレセプタクルの組み付けに対する説明図である。
【００３５】
図１において、引用符号１は従来例と同様の光コネクタを構成するレセプタクルを示している。
そのレセプタクル１は、図１又は図２のいずれかに示される如く、前後が各々開口するコネクタハウジング２を有しており、そのコネクタハウジング２の前方開口部３を介して図示しない光プラグ（従来例で説明した光プラグ１０３（図１４参照）と基本的に同じ構成とする）が嵌合するようになっている。
【００３６】
また、コネクタハウジング２の後方開口部４を介してレセプタクル１を構成するスリーブ５、５、受光素子モジュール６（特許請求の範囲に記載した光素子モジュールに相当）、発光素子モジュール７（特許請求の範囲に記載した光素子モジュールに相当）、及び矩形板状のキャップ８が順に装着収容されるようになっている。
【００３７】
そして、レセプタクル１は、生産効率を高めるためスリーブ５、５、受光素子モジュール６、発光素子モジュール７、及び矩形板状のキャップ８を同一方向、即ち矢線Ｘ方向に組み付けることができるようになっているのが特徴となっている。
【００３８】
以下、構成を具体的に説明する。先ず、図１ないし図１０いずれかを参照しながらコネクタハウジング２について説明する。
【００３９】
上記コネクタハウジング２は、例えばカーボンを含む合成樹脂材料により、外観視が前後方向の略中間において段付きとなる略矩形状の箱型に形成されており、そのコネクタハウジング２の上壁９にガイド部１０が、また、左、右壁１１、１２（コネクタハウジング２の正面を基準として左右とする）には略円筒状の取り付け部１３、１３が形成されている。さらに下壁１４には、図示しない取り付け相手側に対する固定用のピン１５、１５が突設されている。
【００４０】
コネクタハウジング２の内部には、図示しない光プラグが前方開口部３を介して嵌合する嵌合部１６と、後方開口部４より臨み、受光素子モジュール６及び発光素子モジュール７が収容される収容室１７、１７と、嵌合部１６及び収容室１７、１７に連通する受承筒１８、１８とが形成されている。
【００４１】
上記ガイド部１０は、上壁９の前方側において外方に突出しており、内方には嵌合部１６に連通するガイド溝１９、１９と、図示しない光プラグを係止させる係止溝２０とが形成されている。
【００４２】
上記嵌合部１６は、図示しない光プラグのプラグハウジング（不図示）を挿入可能とする形状に形成されており、嵌合部１６における下壁１４の略中央には、内方へ垂直に立ち上がる起立壁２１、２１が突設されている。また、嵌合部１６内には、上記受承筒１８、１８の前部が突出するようになっている。
【００４３】
上記収容室１７、１７は、隔壁２５によって区画されており、収容室１７、１７における下壁１４には、端子導出部２２、２２が形成されている。また、同じく収容室１７、１７における左、右壁１１、１２には、それぞれキャップ８に対する係合部２３、２３が形成されている。
【００４４】
隔壁２５には、受光素子モジュール６及び発光素子モジュール７に対する圧入突起２４が複数形成されている（本形態においては隔壁２５の両側に各々二条設けている）。また、圧入突起２４は、左、右壁１１、１２にも設けられている（隔壁２５の位置と同じ）。尚、引用符号２５ａはキャップ８に対する案内部を示している。
【００４５】
端子導出部２２、２２は、後方開口部４の下壁１４側を切り欠いて形成されており、後方に向けて開放された状態となっている。即ち、従来例で説明した端子導出部１２０、１２０（図１５参照）を上記受承筒１８の軸に対し平行に切り欠いたような形状となっている。
【００４６】
係合部２３は、左、右壁１１、１２における後方開口部４の近傍を段付きに形成することで、成形の際に係合部２３を左、右壁１１、１２間方向に窪ませることができるようになっており、その係合部２３を各壁二つ形成することでキャップ８の下壁１４方向に対するズレを防止するようになっている。尚、取り付け部１３、１３の配置によってはこの限りでない。
【００４７】
上記受承筒１８は、内外共に段付きの円筒形状に形成されており、前方小径部２６に図示しない光プラグのフェルールが挿入されるようになっている。また、受承筒１８の後方大径部２７には、スリーブ５を圧入するための圧入突起２８が等間隔で四条形成されている。後方大径部２７は、スリーブ５が圧入装着されるとそのスリーブ５の圧入方向後部が収容室１７に突出する深さに形成されている。
【００４８】
尚、受承筒１８は、その軸上に上記フェルール及びスリーブ５の軸が略一致するよう形成されている。
【００４９】
次に、スリーブ５について説明する（図１及び図２参照）。
スリーブ５は、従来例で説明したスリーブ１０５（図１５参照）と同じであって、コア及びクラッドから成るガラス又は合成樹脂製の導波路３０と金属製円筒形状のホルダ３１とで構成されている。
【００５０】
尚、スリーブ５がこのような構成であるので、例えば光ファイバをスリーブ５の長さに切断し、代替えすることも可能である。その場合には、光ファイバのガラス又は合成樹脂製の芯線部が導波路３０に相当し、合成樹脂製のシースがホルダ３１に相当することになる。
【００５１】
続いて、受光素子モジュール６及び発光素子モジュール７について説明する（図１又は図２参照）。
受光素子モジュール６、発光素子モジュール７は、例えばスリーブ５の導波路３０と同等の透過率を有する合成樹脂材により成形されたモールド部３２、３３に図示しない受光素子、発光素子（共に特許請求の範囲に記載した素子部に相当）を埋設してパッケージ化されたものであり、そのモールド部３２、３３からは、それぞれ四本の端子３４、３５が導出されている。
【００５２】
モールド部３２、３３には、受光素子、発光素子の前部に当たる位置に、受承筒１８に装着されて収容室１７に突出したスリーブ５を収容する円形の穴３６、３７が形成されている。穴３６、３７を形成することで受光素子モジュール６及び発光素子モジュール７を収容室１７、１７に収容した際に、スリーブ５、５の上記圧入方向後部が穴３６、３７に収容され、スリーブ５、５が受光素子、発光素子に近接するようになる。
【００５３】
尚、受光素子としてはフォトダイオード（ＰＤ）を、また、発光素子としては発光ダイオード（ＬＥＤ）等を挙げることができる。
【００５４】
続いてさらに、キャップ８について説明する。
キャップ８は、図１１又は図１２のいずれかに示される如く、矩形略板状に形成されており、コネクタハウジング２（図１及び図２参照）に装着される側となるキャップ８の正面には、二つの突出部３８と、四つの係合突起３９と、上下二段、計八つの押し付け突起４０と、枠部４１とが一体に形成されている。また、キャップ８には、二つの突出部３８、３８が形成されることで引用符号４２に示されるような凹部も形成されている。
【００５５】
突出部３８は、組み付け時に端子導出部２２に入り込み、端子３４又は３５に近接するようキャップ８の下縁部に突出形成されている。また、係合突起３９はキャップ８の左右縁部からそれぞれ二つ突出するよう略爪状に形成されており、組み付け時に係合部２３に嵌合するとキャップ８の脱落を防止するようになっている。
【００５６】
押し付け突起４０は、組み付け時に受光素子モジュール６又は発光素子モジュール７を受承筒１８の上記軸方向に沿って押し付けられるよう突設されている。また、凹部４２には、隔壁２５の案内部２５ａが組み付け時において係入するようになってる。
【００５７】
尚、キャップ８は、本形態において、コネクタハウジング２と同じ材質で形成されているものとする。
【００５８】
次に、図１３を参照しながらレセプタクル１の組み付け工程について説明すると、そのレセプタクル１は、コネクタハウジング２を、例えばその受承筒１８の上記軸が垂直軸方向に一致するように配置した後、矢線Ｘ方向にスリーブ５、５、受光素子モジュール６、発光素子モジュール７、及びキャップ８を順に組み付けて成るようになっていることから、従来に比べ生産効率が格段に高められていると言える。
【００５９】
即ち、受光素子モジュール６及び発光素子モジュール７を収容室１７、１７に装着収容する際、その受光素子モジュール６及び発光素子モジュール７を斜め挿入することなくスリーブ５、５やキャップ８と同様に同方向（矢線Ｘ方向）の組み付けをすることができるので、生産効率が高まることになる。
【００６０】
また、端子導出部２２、２２が後方開口部４において開放されていることから、受光素子モジュール６及び発光素子モジュール７の装着収容の際に、端子３４、３５を端子導出部２２、２２にぶつけてしまうような不具合を生じることはなく、その結果、生産効率を高めることができる。
【００６１】
さらに、上述の組み付け工程において、反転作業を含めた組み付けをする必要がなくなっていることから、自動組み付けが可能となり、生産効率を高めることができる。
【００６２】
尚、端子導出部２２、２２を後方開口部４において開放しても、キャップ８の装着状態が従来と比べ変わることはない。また、キャップ８に設けた係合突起３９を係合部２３に嵌合させるのであるから、装着性に影響を来してしまうようなこともない。
【００６３】
その他、本発明は本発明の主旨を変えない範囲で種々変更実施可能なことは勿論である。
即ち、以上では二芯式の光コネクタにおけるレセプタクルについて説明したが、一芯式双方向通信用の光コネクタ等にも当然に応用することができるものとする。
【００６４】
【発明の効果】
以上説明したように、請求項１に記載された本発明によれば、レセプタクルは、前後が各々開口するコネクタハウジングと、そのコネクタハウジングに装着収容されるスリーブ及び光素子モジュールと、コネクタハウジングの後方開口部に装着されるキャップとを備え、コネクタハウジングには、フェルールを端末に装着した光ファイバを有する光プラグがコネクタハウジングの前方開口部を介して嵌合する嵌合部と、後方開口部より臨み、光素子モジュールを収容するとともに、その光素子モジュールの端子をコネクタハウジングの外方へ導出させる端子導出部をコネクタハウジングの下壁に穿設した収容室と、嵌合部及び収容室に連通し嵌合部側にフェルールが挿入され、収容室側にスリーブが後方開口部及び収容室を介して装着される受承筒とを形成し、且つ、スリーブと光素子モジュールの素子部とが受承筒の軸と略同一軸上に配置されるよう構成した光コネクタ用のレセプタクルを対象としており、後方開口部を上記軸に対し略平行に切り欠いて、光素子モジュールの端子が上記軸の方向に挿入可能となるよう端子導出部を開放し、キャップには、開放された端子導出部に入り込み、光素子モジュールの端子に近接する突出部を形成することを特徴としている。
このようにレセプタクルを構成することによって、光素子モジュールを収容室に装着収容する際、光素子モジュールを斜め挿入することなくスリーブやキャップと同様に同方向の組み付けをすることができる。また、端子導出部を後方開口部において開放していることから、光素子モジュールの装着収容の際に端子をぶつけてしまうような不具合を生じることはない。さらに、組み付け工程において、反転作業を含めた組み付けをする必要がなくなるから、自動組み付けが可能となる。一方、キャップに突出部を形成することで、端子近傍の間隙を従来同様に維持できることから、光素子モジュールの性能に影響を来すことなく、上述の効果を得られることになる。
従って、生産効率の高いレセプタクルを提供することができるという効果を奏する。
【００６５】
特に、コネクタハウジングは、そのコネクタハウジングの下壁と下壁に対向する上壁とに挟まれる左、右壁にそれぞれ係合部を有し、キャップには、係合部に対応する位置にその係合部に嵌合する脱落防止用の係合突起をそれぞれ突設していることから、端子導出部を後方開口部において開放してもキャップの装着状態が変わることはない。また、キャップに設けた係合突起を係合部に嵌合させるのであるから、装着性に影響を来してしまうようなこともない。
従って、上述したように、生産効率の高いレセプタクルを提供することができるのである。
【図面の簡単な説明】
【図１】本発明によるレセプタクルの一実施の形態を示す後方側からみた分解斜視図である。
【図２】図１に対し前方側からみたレセプタクルの分解斜視図である。
【図３】コネクタハウジングの正面図である。
【図４】コネクタハウジングの平面図である。
【図５】コネクタハウジングの底面図である。
【図６】コネクタハウジングの右側面図である。
【図７】コネクタハウジングの背面図である。
【図８】図３のＡ−Ａ線断面図である。
【図９】図３のＢ−Ｂ線断面図である。
【図１０】図３のＣ−Ｃ線断面図である。
【図１１】キャップの正面図である。
【図１２】図１１のＤ−Ｄ線断面図である。
【図１３】レセプタクルの組み付けに対する説明図である。
【図１４】従来例のレセプタクル及び光プラグからなる光コネクタの分解斜視図である。
【図１５】従来例のレセプタクルの分解斜視図である。
【図１６】従来例の光プラグの断面図である。
【図１７】従来例のレセプタクルの組み付けに関する図であり、スリーブの装着前の状態を表した説明図である。
【図１８】従来例のレセプタクルの組み付けに関する図であり、光素子モジュールとしての受光素子モジュール及び発光素子モジュールの装着前の状態を表した説明図である。
【図１９】従来例のレセプタクルの組み付けに関する図であり、光素子モジュールとしての受光素子モジュール及び発光素子モジュールの装着後の状態を表した説明図である。
【図２０】従来例のレセプタクルの組み付けに関する図であり、キャップを装着して組み付けが完了した状態の説明図である。
【符号の説明】
１              レセプタクル
２              コネクタハウジング
３              前方開口部
４              後方開口部
５              スリーブ
６              受光素子モジュール（光素子モジュール）
７              発光素子モジュール（光素子モジュール）
８              キャップ
９              上壁
１０            ガイド部
１１            左壁
１２            右壁
１３            取り付け部
１４            下壁
１５            ピン
１６            嵌合部
１７            収容室
１８            受承筒
１９            ガイド溝
２０            係止溝
２１            起立壁
２２            端子導出部
２３            係合部
２４            圧入突起
２５            隔壁
２５ａ          案内部
２６            前方小径部
２７            後方大径部
２８            圧入突起
３０            導波路
３１            ホルダ
３２、３３      モールド部
３４、３５      端子
３６、３７      穴
３８            突出部
３９            係合突起
４０            押し付け突起
４１            枠部
４２            凹部
【図１】
0003760433.tif 000002
【図２】
0003760433.tif 000003
【図３】
0003760433.tif 000004
【図４】
0003760433.tif 000005
【図５】
0003760433.tif 000006
【図６】
0003760433.tif 000007
【図７】
0003760433.tif 000008
【図８】
0003760433.tif 000009
【図９】
0003760433.tif 000010
【図１０】
0003760433.tif 000011
【図１１】
0003760433.tif 000012
【図１２】
0003760433.tif 000013
【図１３】
0003760433.tif 000014
【図１４】
0003760433.tif 000015
【図１５】
0003760433.tif 000016
【図１６】
0003760433.tif 000017
【図１７】
0003760433.tif 000018
【図１８】
0003760433.tif 000019
【図１９】
0003760433.tif 000020
【図２０】
0003760433.tif 000021